(57)【特許請求の範囲】
【請求項１】
フレームを有する建物ユニットを複数組み合わせてなるユニット式建物の断熱構造において、
前記フレームは、四隅の柱と、当該柱の上端部同士を連結する複数の天井梁と、当該柱の下端部同士を連結する複数の床梁と、を備えており、
前記複数の建物ユニットのうち基礎上に設置される建物ユニットの前記床梁の下面に沿って、少なくとも一面が粘着面とされた帯状の防湿断熱シートが貼り付けられており、
前記建物ユニットの下面全体には、防蟻シートが、前記防湿断熱シートを覆い、かつ重なり合って設けられ、前記防湿断熱シートは、前記床梁と前記防蟻シートとの間に介在していることを特徴とするユニット式建物の断熱構造。
【請求項２】
請求項１に記載のユニット式建物の断熱構造において、
帯状の防蟻テープが、前記防蟻シートの周縁部から前記床梁に向かって直角に、かつ前記床梁の長さ方向に沿って貼り付けられていることを特徴とするユニット式建物の断熱構造。
【請求項３】
請求項２に記載のユニット式建物の断熱構造において、
前記柱の屋外側面に沿って、帯状の防湿断熱シートが貼り付けられ、
当該柱の防湿断熱シートの下端部と、前記防蟻テープとが重なり合っていることを特徴とするユニット式建物の断熱構造。
【請求項４】
請求項１〜３のいずれか一項に記載のユニット式建物の断熱構造において、
前記天井梁と前記床梁は、ウェブと、当該ウェブの上下端部のそれぞれから前記建物ユニットの中央側に向かって水平に延出するフランジと、を有する鋼材であり、
前記天井梁と前記床梁のうち、前記ユニット式建物の外周に沿って設けられる梁の、前記ウェブと前記フランジとで囲まれた空間内には断熱材が充填されていることを特徴とするユニット式建物の断熱構造。
【請求項５】
請求項１〜４のいずれか一項に記載のユニット式建物の断熱構造において、
隣接する前記複数の建物ユニットの、隣接する前記柱間と、隣接する前記各梁間に断熱材が充填されていることを特徴とするユニット式建物の断熱構造。
【請求項６】
四隅の柱と、当該柱の上端部同士を連結する複数の天井梁と、当該柱の下端部同士を連結する複数の床梁と、を備えたフレームを有する建物ユニットを複数組み合わせてなるユニット式建物の断熱方法において、
前記複数の建物ユニットのうち基礎上に設置される建物ユニットの前記床梁の下面に沿って、少なくとも一面が粘着面とされた帯状の防湿断熱シートを貼り付け、
前記建物ユニットの下面全体に、防蟻シートを、前記防湿断熱シートを覆い、かつ重なり合うように設け、前記防湿断熱シートを、前記床梁と前記防蟻シートとの間に介在させることを特徴とするユニット式建物の断熱方法。
【請求項７】
請求項６に記載のユニット式建物の断熱方法において、
前記建物ユニットは、
一対の前記柱と、当該一対の柱の上端部同士を連結する前記天井梁と、当該一対の柱の下端部同士を連結する前記床梁と、を備えた複数の妻パネルと、
一対の前記天井梁と、当該一対の天井梁間に架設される複数の野縁と、を備えた天井パネルと、
一対の前記床梁と、当該一対の床梁間に架設される複数の根太と、を備えた床パネルと、に分けて組み立てられており、
前記防湿断熱シートを、前記床パネルの前記床梁の下面における両端部を除く部分に沿って貼り付けた後、前記防蟻シートを、前記床パネルの下面における長さ方向両端部を除く部分に設け、
前記複数の妻パネルと前記床パネルとを連結し、前記複数の妻パネルの前記床梁の下面に沿って前記防湿断熱シートを貼り付けた後、前記床パネルの前記床梁に貼り付けた前記防湿断熱シートを当該床梁の下面における両端部に貼り付けるとともに、前記防蟻シートを、前記床パネルの下面における長さ方向両端部に設けることを特徴とするユニット式建物の断熱方法。
【請求項８】
請求項７に記載のユニット式建物の断熱方法において、
前記防蟻シートを、前記床パネルの下面における長さ方向両端部に設けた後に、帯状の防蟻テープを、前記防蟻シートの周縁部から前記床梁に向かって直角に、かつ前記床梁の長さ方向に沿って貼り付けることを特徴とするユニット式建物の断熱方法。
【発明の詳細な説明】
【技術分野】
【０００１】
本発明は、ユニット式建物の断熱構造および断熱方法に関する。
【背景技術】
【０００２】
略直方体フレーム状の建物ユニットを組み合わせてなるユニット式建物において、建物ユニットを構成する柱や梁として鋼製部材が用いられている。鋼製部材を用いた建物ユニットでは、冬期、鋼製部材特有の熱橋による影響を受ける。熱橋とは構造体における極端に熱伝導率の大きな部分をいい、この部分は他の部分よりも熱を伝えやすい熱的短絡部となる。
従来、この熱橋の対策として、柱の室内側面およびその反対側の屋外側面や、床梁、天井梁の室内側面に、発泡樹脂製の断熱材を設けることが行われている（例えば特許文献１参照）。
【先行技術文献】
【特許文献】
【０００３】
【特許文献１】特開２０００−１３６５８０号公報
【発明の概要】
【発明が解決しようとする課題】
【０００４】
従来の技術においては、床梁の室内側面（上面）に断熱材が設けられているが、その反対側の建物基礎側の面（下面）には断熱材が設けられていない。そのため、床梁の下面にも断熱材を設けて、より断熱効果を高めたいという要望があった。
また、建物ユニット自体は重量物であるため、予め工場等で、床梁の下面に断熱材を取り付けておき、現場での手間を省略することが考えられる。ところが、床梁の下面の幅は狭いため、断熱材の貼り付けに必要な面積としては十分ではなく、断熱材が剥がれやすくなる懸念があった。
【０００５】
本発明の課題は、建物ユニットの床梁の下面に断熱材を確実に取り付けておくことができ、床における断熱効果を高めることが可能なユニット式建物の断熱構造および断熱方法を提供することを目的とする。
【課題を解決するための手段】
【０００６】
請求項１に記載の発明は、例えば図１〜図１１に示すように、フレームを有する建物ユニット１を複数組み合わせてなるユニット式建物の断熱構造において、
前記フレームは、四隅の柱２と、当該柱２の上端部同士を連結する複数の天井梁４，５と、当該柱２の下端部同士を連結する複数の床梁７，８と、を備えており、
前記複数の建物ユニット１のうち基礎上に設置される建物ユニット１（最下階の建物ユニット１）の前記床梁７，８の下面に沿って、少なくとも一面が粘着面とされた帯状の防湿断熱シート２１，２２（第一防湿断熱シート２１，第二防湿断熱シート２２）が貼り付けられており、
前記建物ユニット１の下面全体には、防蟻シート２４が、前記防湿断熱シート２１，２２を覆い、かつ重なり合って設けられ、前記防湿断熱シート２１，２２は、前記床梁７，８と前記防蟻シート２４との間に介在していることを特徴とする。
【０００７】
請求項１に記載の発明によれば、複数の建物ユニット１のうち基礎上に設置される建物ユニット１の床梁７，８の下面に沿って、帯状の防湿断熱シート２１，２２が貼り付けられているので、床梁７，８と、基礎との間に防湿断熱シート２１，２２を介在させることができる。これによって、床梁７，８側から基礎に熱が伝わることを防ぐことができるので、床における断熱効果を高めることができる。しかも、防湿断熱シート２１，２２によって、基礎側から床梁７，８側への湿気の浸入を防ぐことができるので、湿気による床梁７，８の劣化を防ぐことができる。
また、建物ユニット１の下面全体には、防蟻シート２４が、防湿断熱シート２１，２２を覆い、かつ重なり合って設けられているので、建物ユニット１の下面全体に設けられた防蟻シート２４によって、防湿断熱シート２１，２２が床梁７，８から剥がれ落ちることを防いで確実に取り付けておくことができる。しかも、防蟻シート２４によって、基礎側から建物ユニット１側へのシロアリの侵入を防ぐことができる。
【０００８】
請求項２に記載の発明は、例えば図１，図９，図１０に示すように、請求項１に記載のユニット式建物の断熱構造において、
帯状の防蟻テープ２５が、前記防蟻シート２４の周縁部から前記床梁７，８に向かって直角に、かつ前記床梁７，８の長さ方向に沿って貼り付けられていることを特徴とする。
【０００９】
請求項２に記載の発明によれば、帯状の防蟻テープ２５が、防蟻シート２４の周縁部から床梁７，８に向かって直角に、かつ床梁７，８の長さ方向に沿って貼り付けられているので、床梁７，８に貼り付けられた防湿断熱シート２１，２２に重なり合う防蟻シート２４の周縁部を、防蟻テープ２５によって、床梁７，８の側面に留め付けることができる。これによって、防蟻シート２４の周縁部が剥がれにくくなるので、延いては、床梁７，８に貼り付けられた防湿断熱シート２１，２２も、より剥がれ落ちにくくなる。
【００１０】
請求項３に記載の発明は、例えば図１，図７，図８に示すように、請求項２に記載のユニット式建物の断熱構造において、
前記柱２の屋外側面に沿って、帯状の防湿断熱シート２３（第三防湿断熱シート２３）が貼り付けられ、
当該柱の防湿断熱シート２３の下端部と、前記防蟻テープ２５とが重なり合っていることを特徴とする。
【００１１】
請求項３に記載の発明によれば、防蟻テープ２５に対して、柱２の防湿断熱シート２３が上から重なり合っていた場合には、防蟻シート２４の周縁部を床梁７，８の側面に留め付ける防蟻テープ２５を、柱２の防湿断熱シート２３の下端部によって押さえることができる。これによって、防蟻テープ２５が剥がれにくくなるので、延いては、床梁７，８に貼り付けられた防湿断熱シート２１，２２も、より剥がれ落ちにくくなる。
一方、柱２の防湿断熱シート２３の下端部に対して、防蟻テープ２５が上から重なり合っていた場合には、防蟻テープ２５によって、防蟻シート２４の周縁部と柱２の防湿断熱シート２３の双方を留め付けることができるので効率が良い。さらに、予め柱２に対して防湿断熱シート２３を貼り付けておくことができる。
【００１２】
請求項４に記載の発明は、例えば図１，図３，図５，図９〜図１１に示すように、請求項１〜３のいずれか一項に記載のユニット式建物の断熱構造において、
前記天井梁４，５と前記床梁７，８は、ウェブＷと、当該ウェブＷの上下端部のそれぞれから前記建物ユニット１の中央側に向かって水平に延出するフランジＦと、を有する鋼材であり、
前記天井梁４，５と前記床梁７，８のうち、前記ユニット式建物の外周に沿って設けられる梁の、前記ウェブＷと前記フランジＦとで囲まれた空間Ｓ内には断熱材（第一断熱材３１、第三断熱材３３等）が充填されていることを特徴とする。
【００１３】
請求項４に記載の発明によれば、ユニット式建物の外周に沿って設けられる梁の、ウェブＷとフランジＦとで囲まれた空間Ｓ内に断熱材（第一断熱材３１、第三断熱材３３等）が充填されているので、ユニット式建物の外周に沿って設けられる梁から屋外側への熱の伝わりを抑えることができる。これによって、床における断熱効果を高めることは勿論のこと、建物ユニット１全体、延いてはユニット式建物の断熱効果を高めることが可能となる。
【００１４】
請求項５に記載の発明は、例えば図７，図１０に示すように、請求項１〜４のいずれか一項に記載のユニット式建物の断熱構造において、
隣接する前記複数の建物ユニット１，１の、隣接する前記柱２，２間と、隣接する前記各梁７，７間に断熱材３７（第七断熱材３７）が充填されていることを特徴とする。
【００１５】
請求項５に記載の発明によれば、隣接する複数の建物ユニット１，１の、隣接する柱２，２間と、隣接する各梁７，７間に断熱材３７が充填されているので、柱２，２間および梁７，７間の僅かな隙間から屋外や基礎側への熱の伝わりを抑えることができる。これによって、床における断熱効果を高めることは勿論のこと、建物ユニット１全体、延いてはユニット式建物の断熱効果をより高めることが可能となる。
【００１６】
請求項６に記載の発明は、例えば図１〜図１１に示すように、四隅の柱２と、当該柱２の上端部同士を連結する複数の天井梁４，５と、当該柱２の下端部同士を連結する複数の床梁７，８と、を備えたフレームを有する建物ユニット１を複数組み合わせてなるユニット式建物の断熱方法において、
前記複数の建物ユニット１のうち基礎上に設置される建物ユニット１（最下階の建物ユニット１）の前記床梁７，８の下面に沿って、少なくとも一面が粘着面とされた帯状の防湿断熱シート２１，２２（第一防湿断熱シート２１，第二防湿断熱シート２２）を貼り付け、
前記建物ユニット１の下面全体に、防蟻シート２４を、前記防湿断熱シート２１，２２を覆い、かつ重なり合うように設け、前記防湿断熱シート２１，２２を、前記床梁７，８と前記防蟻シート２４との間に介在させることを特徴とする。
【００１７】
請求項６に記載の発明によれば、複数の建物ユニット１のうち基礎上に設置される建物ユニット１の床梁７，８の下面に沿って、帯状の防湿断熱シート２１，２２を貼り付けるので、床梁７，８と、基礎との間に防湿断熱シート２１，２２を介在させることができる。これによって、床梁７，８側から基礎に熱が伝わることを防ぐことができるので、床における断熱効果を高めることができる。しかも、防湿断熱シート２１，２２によって、基礎側から床梁７，８側への湿気の浸入を防ぐことができるので、湿気による床梁７，８の劣化を防ぐことができる。
また、建物ユニット１の下面全体に、防蟻シート２４を、防湿断熱シート２１，２２を覆い、かつ重なり合うように設けるので、建物ユニット１の下面全体に設けられた防蟻シート２４によって、防湿断熱シート２１，２２が床梁７，８から剥がれ落ちることを防いで確実に取り付けておくことができる。しかも、防蟻シート２４によって、基礎側から建物ユニット１側へのシロアリの侵入を防ぐことができる。
【００１８】
請求項７に記載の発明は、例えば図１〜図５に示すように、請求項６に記載のユニット式建物の断熱方法において、
前記建物ユニット１は、
一対の前記柱２，２と、当該一対の柱２，２の上端部同士を連結する前記天井梁５と、当該一対の柱２，２の下端部同士を連結する前記床梁８と、を備えた複数の妻パネルと、
一対の前記天井梁４，４と、当該一対の天井梁４，４間に架設される複数の野縁６と、を備えた天井パネルと、
一対の前記床梁７，７と、当該一対の床梁７，７間に架設される複数の根太９と、を備えた床パネルと、に分けて組み立てられており、
前記防湿断熱シート２１を、前記床パネルの前記床梁７，７の下面における両端部を除く部分に沿って貼り付けた後、前記防蟻シート２４を、前記床パネルの下面における長さ方向両端部を除く部分に設け、
前記複数の妻パネルと前記床パネルとを連結し、前記複数の妻パネルの前記床梁８の下面に沿って前記防湿断熱シート２２を貼り付けた後、前記床パネルの前記床梁７に貼り付けた前記防湿断熱シート２１を当該床梁７の下面における両端部に貼り付けるとともに、前記防蟻シート２４を、前記床パネルの下面における長さ方向両端部に設けることを特徴とする。
【００１９】
請求項７に記載の発明によれば、複数の妻パネルと床パネルとを連結し、複数の妻パネルの床梁８の下面に沿って防湿断熱シート２２を貼り付けた後、床パネルの床梁７に貼り付けた防湿断熱シート２１を当該床梁７の下面における両端部に貼り付けるとともに、防蟻シート２４を、床パネルの下面における長さ方向両端部に設けるので、建物ユニット１を組み立てながら、防湿断熱シート２１，２２の貼り付け作業や防蟻シート２４の貼り付け作業を行うことができ、効率が良い。
【００２０】
請求項８に記載の発明は、例えば図１，図９，図１０に示すように、請求項７に記載のユニット式建物の断熱方法において、
前記防蟻シート２４を、前記床パネルの下面における長さ方向両端部に設けた後に、帯状の防蟻テープ２５を、前記防蟻シート２４の周縁部から前記床梁７，８の側面に向かって直角に、かつ前記床梁７，８の長さ方向に沿って貼り付けることを特徴とする。
【００２１】
請求項８に記載の発明によれば、防蟻シート２４を、床パネルの下面における長さ方向両端部に設けた後に、帯状の防蟻テープ２５を、防蟻シート２４の周縁部から床梁７，８の側面に向かって直角に、かつ床梁７，８の長さ方向に沿って貼り付けるので、床梁７，８に貼り付けられた防湿断熱シート２１，２２に重なり合う防蟻シート２４の周縁部を、防蟻テープ２５によって、床梁７，８の側面に留め付けることができる。これによって、防蟻シート２４の周縁部を剥がれにくくすることができるので、延いては、床梁７，８に貼り付けられた防湿断熱シート２１，２２も、より剥がれ落ちにくくすることができる。
【発明の効果】
【００２２】
本発明によれば、建物ユニットの床梁の下面に防湿断熱シートを確実に取り付けておくことができ、床における断熱効果を高めることが可能となる。
【図面の簡単な説明】
【００２３】
【図１】最下階の建物ユニットを示す斜視図である。
【図２】妻パネルを示す斜視図である。
【図３】天井パネルを示す斜視図である。
【図４】床パネルに防湿断熱シートおよび防蟻シートを貼り付ける手順を説明する斜視図である。
【図５】最下階の建物ユニットに防湿断熱シートを貼り付けるとともに断熱材を充填する方法を説明する斜視図である。
【図６】上階の建物ユニットを示す斜視図である。
【図７】隣接する建物ユニットにおける隣接する柱の部分を示す断面図である。
【図８】ユニット式建物のコーナーに位置する柱を示す断面図である。
【図９】床梁に防湿断熱シートと防蟻シートと防蟻テープを貼り付ける手順を説明する断面図である。
【図１０】隣接する建物ユニットにおける隣接する床梁の部分を示す断面図である。
【図１１】上下に隣接する建物ユニットにおける隣接する床梁の部分を示す断面図である。
【発明を実施するための形態】
【００２４】
以下、図面を参照して本発明の実施の形態について説明する。
図１において符号１は、建物ユニットを示す。この建物ユニット１は、図示しないユニット式建物を構成するためのものであり、略直方体状に形成された鋼製のフレーム（骨組み）を有する。
また、ユニット式建物は、複数の建物ユニット１を横方向および上下方向（平屋の場合は除く）に組み合わせて構築される。そして、本実施の形態の断熱構造および断熱方法は、このようなユニット式建物に適用される。
【００２５】
建物ユニット１について、より詳細に説明する。
本実施の形態において建物ユニット１は、図１に示すように、横方向および上下方向に隣接するようにして組み合わせられる。すなわち、本実施の形態のユニット式建物は複数階建てに構築される。
建物ユニット１のフレームは、四隅の柱２と、柱２の上端部同士を連結する長辺天井梁４および短辺天井梁５と、柱２の下端部同士を連結する長辺床梁７および短辺床梁８と、を備える。より詳細には、さらに柱梁接合部材３（ダイヤフラムともいう）と、野縁６と、根太９と、を備える。
なお、本実施の形態のフレームは略直方体状に形成されるものとしたが、これに限られるものではなく、立方体状に形成されてもよい。
【００２６】
柱２は、角筒状に形成された鋼材である。
柱梁接合部材３は、図８に示すように、柱２の外側の二つの側面に沿う二つの辺が直角に交差し、当該柱梁接合部材３に接合される二本の梁に向かって突出する突出部分を有する平面視略五角形状の鋼製箱状体である。
長辺天井梁４および短辺天井梁５と、長辺床梁７および短辺床梁８は、ウェブＷと、当該ウェブＷの上下端部のそれぞれから建物ユニット１の中央側に向かって水平に延出するフランジＦと、を有する鋼材（いわゆる溝形鋼）である。また、ウェブＷとフランジＦ，Ｆとで囲まれた箇所は空間Ｓとなっている。
なお、短辺天井梁５および短辺床梁８は、サイズの異なる溝形鋼を向い合せて筒状に形成したものを採用してもよい。
【００２７】
柱梁接合部材３は、四隅の柱２のそれぞれの上下端部に、溶接等によって一体的に設けられるものであり、四隅の柱２と各梁４，５，７，８は、当該柱梁接合部材３を介して連結されている。
【００２８】
野縁６は、木製であり（鋼製でもよい）、短辺天井梁５に平行するとともに長辺天井梁４，４間に複数架設されている。また、複数の野縁６と短辺天井梁５は等間隔に配置されている。そして、これら複数の野縁６の下面には天井材１０が設けられる。
【００２９】
根太９は、木製であり（鋼製でもよい）、短辺床梁８に平行するとともに長辺床梁７，７間に複数架設されている。また、複数の根太９と短辺床梁８は等間隔に配置されている。そして、これら複数の根太９の上面には床材１１が設けられる。
【００３０】
また、建物ユニット１は、その製造段階で、複数のパーツに分けて組み立てられる。すなわち、図２に示す複数の妻パネルと、図３に示す天井パネルと、図４に示す床パネルと、に分けられている。
妻パネルは、一対の柱２および上下端部の柱梁接合部材３と、当該一対の柱２の上端部同士を連結する短辺天井梁５と、一対の柱２の下端部同士を連結する短辺床梁８と、を備え、矩形枠状に形成されている。
天井パネルは、一対の長辺天井梁４と、当該一対の長辺天井梁４，４間に架設される複数の野縁６と、を備え、格子枠状（梯子状）に形成されている。
床パネルは、一対の長辺床梁７と、当該一対の長辺床梁７，７間に架設される複数の根太９と、を備え、格子枠状（梯子状）に形成されている。
【００３１】
そして、熱橋を防ぐため、以上のような構成の建物ユニット１に対して、第一防湿断熱シート２１、第二防湿断熱シート２２、第三防湿断熱シート２３、防蟻シート２４、防蟻テープ２５、補助断熱シート２６、第一断熱材３１、第二断熱材３２、第三断熱材３３、第四断熱材３４、第五断熱材３５、第六断熱材３６、第七断熱材３７が適宜設けられる。
ユニット式建物を構成する複数の建物ユニット１の中でも、図示しない基礎上に設置される建物ユニット１や、ユニット式建物の外周に位置する（すなわち外壁材１２が設けられる）建物ユニット１に対しては重点的に熱橋対策が必要となる。
【００３２】
まず、基礎上に設置され、かつユニット式建物の外周に位置する建物ユニット１（最下階の建物ユニット１）における熱橋対策について説明する。
図１に示す最下階の建物ユニット１は、ユニット式建物のコーナーに位置しており、複数の面に外壁材１２が設けられる。
当該建物ユニット１の長辺床梁７および短辺床梁８の下面に沿って、帯状の第一防湿断熱シート２１および第二防湿断熱シート２２が貼り付けられている。第一防湿断熱シート２１は、長辺床梁７の下面と略等しい長さに設定されており、第二防湿断熱シート２２は、短辺床梁８の下面と略等しい長さに設定されている。本実施の形態において、これら第一防湿断熱シート２１と第二防湿断熱シート２２は、端部同士が重なり合わない寸法設定となっているが、重なり合う寸法設定であってもよい。また、少なくとも一方の防湿断熱シート２１（２２）が、柱梁接合部材３の下面の長さを含んだ寸法設定となっていてもよい。
なお、本実施の形態の第一防湿断熱シート２１と第二防湿断熱シート２２は、それぞれ長辺床梁７と短辺床梁８の下面に沿って貼り付けられるものとしたが、これに限られるものではない。すなわち、長辺床梁７と短辺床梁８の下面から側面（ウェブＷの外側面）にかけて直角に貼り付けられるものとしてもよい。また、このように貼り上げられた第一防湿断熱シート２１と第二防湿断熱シート２２で、長辺床梁７と短辺床梁８の側面全体を被覆することが好ましい。
なお、第一防湿断熱シート２１および第二防湿断熱シート２２は、例えばポリエチレン等の樹脂製シートや、アルミ製のシート等を始めとする様々な素材の断熱シートの中から適宜採用される。すなわち、防湿性および断熱性を備えたシートであれば、特に限定されるものではない。また、第一防湿断熱シート２１および第二防湿断熱シート２２は、少なくとも一面（本実施の形態においては両面）が粘着面となっている。
【００３３】
また、複数の根太９を含む最下階の建物ユニット１の下面全体には、防蟻シート２４が、第一防湿断熱シート２１および第二防湿断熱シート２２を覆い、かつ重なり合って設けられている。
すなわち、当該防蟻シート２４は、建物ユニット１の下面全体（短辺床梁８と根太９との間の区間、根太９，９間の空間を含む）の面積と略等しい面積、縦横寸法に設定されており、建物ユニット１の下面全体を覆うことができる。第一防湿断熱シート２１および第二防湿断熱シート２２は、長辺床梁７および短辺床梁８と防蟻シート２４との間に介在することとなる。
なお、本実施の形態の防蟻シート２４は、建物ユニット１の下面全体の面積と略等しい面積に設定されているものとしたが、これに限られるものではなく、建物ユニット１の下面全体の面積よりも広い面積に設定されていてもよい。特に、上述のように、第一防湿断熱シート２１と第二防湿断熱シート２２を、長辺床梁７と短辺床梁８の下面から側面（ウェブＷの外側面）にかけて直角に貼り上げる場合は、建物ユニット１の下面全体の面積よりも広い面積の防蟻シート２４が用いられる。すなわち、建物ユニット１の下面からはみ出す防蟻シート２４の周縁部は、長辺床梁７および短辺床梁８の側面（ウェブＷの外側面）に向かって直角に貼り上げられ、長辺床梁７と短辺床梁８の側面に貼り付けられた第一防湿断熱シート２１と第二防湿断熱シート２２に重なり合うことになる。また、第一防湿断熱シート２１と第二防湿断熱シート２２で、長辺床梁７と短辺床梁８の側面全体を被覆する場合は、これに合わせて、防蟻シート２４の周縁部で、長辺床梁７および短辺床梁８の側面全体を被覆できるようにすることが好ましい。
なお、防蟻シート２４は、安全性の高いネオニコチノイド系薬剤や植物から抽出するフィトンチッド抽出物などを主成分とするものが採用されている。また、防蟻シート２４は、少なくとも一面（本実施の形態においては建物ユニット１側の面）が粘着面となっている。
【００３４】
また、帯状の防蟻テープ２５が、防蟻シート２４の周縁部から長辺床梁７および短辺床梁８の側面（ウェブＷの外側面）に向かって直角に、かつ当該長辺床梁７および短辺床梁８の長さ方向に沿って貼り付けられている。
すなわち、当該防蟻テープ２５は、建物ユニット１の下面全周の縁部（長辺床梁７の下面縁部と、短辺床梁８の下面縁部）から、長辺床梁７および短辺床梁８の側面に向かって貼り上げられている。
ただし、上述のように防蟻シート２４が、その周縁部によって長辺床梁７および短辺床梁８の側面全体を被覆できる程度に広い面積のものである場合には、防蟻テープ２５は、防蟻シート２４の周縁部から長辺床梁７および短辺床梁８の上面（上側に位置するフランジＦの外側面）に向かって直角に貼り付けられることになる。
なお、防蟻テープ２５は、防蟻シート２４と同様に、人体や土壌に対しては安全性が高く、シロアリに対して効果を発揮するような成分が含まれたものが採用されている。また、防蟻テープ２５は、少なくとも一面（本実施の形態においては建物ユニット１側の面）が粘着面となっている。
【００３５】
また、柱２の屋外側面に沿って、帯状の第三防湿断熱シート２３が貼り付けられている。図８に示すように、ユニット式建物のコーナーに位置する柱２の場合は、二つの屋外側面に対して第三防湿断熱シート２３が貼り付けられる。ユニット式建物のコーナーに位置しない柱２の場合は、一つの屋外側面に対してのみ第三防湿断熱シート２３が貼り付けられている。
さらに、本実施の形態においては、当該柱２の第三防湿断熱シート２３の下端部と、貼り上げられた防蟻テープ２５は重なり合った状態となっている。すなわち、第三防湿断熱シート２３は、柱２の上下端部に設けられた柱梁接合部材３も覆うようにして貼り付けられており、長辺床梁７および短辺床梁８の側面に貼り上げられた防蟻テープ２５と重なり合うこととなる。
なお、本実施の形態においては、防蟻テープ２５の上から第三防湿断熱シート２３が重なっている状態となっているが、その反対に、第三防湿断熱シート２３の上から防蟻テープ２５が重なるようにしてもよい。さらには、第三防湿断熱シート２３を、柱２の部位と、上下端部（少なくとも下端部）の柱梁接合部材３，３の部位とに分けて、第三防湿断熱シート２３と防蟻テープ２５との重ねる順序を変更してもよい。
【００３６】
最下階の建物ユニット１の天井パネルには、図１，図３，図５、図１１に示すように、断熱材が適宜設けられている。
すなわち、ユニット式建物の外周に沿って設けられる長辺天井梁４の空間Ｓ内に第一断熱材３１が充填されている。
長辺天井梁４の空間Ｓは、複数の野縁６によって複数に区画されており、これに伴って第一断熱材３１も複数用いられ、当該複数の区画のそれぞれに充填されている。
【００３７】
短辺天井梁５と野縁６との間の区間および野縁６，６同士の間の区間には、第二断熱材３２が、天井材１０の上面を覆うようにして敷設されている。
【００３８】
ユニット式建物の外周に沿って設けられる短辺天井梁５の空間Ｓ内には第三断熱材３３が充填されている。
当該第三断熱材３３は、空間Ｓ内において短辺天井梁５の両端部に位置する二つの柱梁接合部材３，３間に設けられている。
【００３９】
最下階の建物ユニット１の床パネルには、図１，図４，図５，図９，図１０に示すように、断熱材が適宜設けられている。
すなわち、根太９，９同士の間の区間には、第四断熱材３４が、防蟻シート２４の上面を覆うようにして充填されている。
【００４０】
続いて、基礎上に設置された建物ユニット１の上に隣接設置され、かつユニット式建物の外周に位置する建物ユニット１（上階の建物ユニット１）における熱橋対策について説明する（図６参照）。
当該建物ユニット１の構成は、基礎上に設置される最下階の建物ユニット１と同様の構成となっているため、その構成についての説明は省略する。
【００４１】
図６に示す上階の建物ユニット１は、ユニット式建物のコーナーに位置しており、複数の面に外壁材１２が設けられる。
本実施の形態においては、防蟻テープ２５が、上階の建物ユニット１の長辺床梁７および短辺床梁８の下面縁部から側面に向かって直角に、かつ当該長辺床梁７および短辺床梁８の長さ方向に沿って貼り付けられている。
これは、図１１に示すように、上階の建物ユニット１の長辺床梁７および短辺床梁８の下面の高さ位置が、上下方向に隣接する外壁材１２，１２の隙間の位置に対応しているためである。これによって、外壁材１２，１２間の隙間からのシロアリの侵入を防げる。
【００４２】
また、柱２の屋外側面に沿って、帯状の第三防湿断熱シート２３が貼り付けられている。当該第三防湿断熱シート２３の貼り付け態様は、最下階の建物ユニット１の柱２における第三防湿断熱シート２３の貼り付け態様と同様である。
【００４３】
上階の建物ユニット１の天井パネルには、図６に示すように、断熱材が適宜設けられている。
すなわち、短辺天井梁５と野縁６との間の区間および野縁６，６同士の間の区間には、第二断熱材３２が、天井材１０の上面を覆うようにして敷設されている。
【００４４】
上階の建物ユニット１の床パネルには、図６に示すように、断熱材が適宜設けられている。
すなわち、ユニット式建物の外周に沿って設けられる長辺床梁７の空間Ｓ内に第五断熱材３５が充填されている。
長辺床梁７の空間Ｓは、複数の根太９によって複数に区画されており、これに伴って第五断熱材３５も複数用いられ、当該複数の区画のそれぞれに充填されている。
なお、上階の建物ユニット１の床パネルの下面には、防蟻シート２４が設けられない。そのため、第五断熱材３５は粘着テープ３５ａ等によって固定されることが好ましい。
【００４５】
なお、最下階の建物ユニット１および上階の建物ユニット１には、上述のように外壁材１２が設けられるが、ユニット式建物の内部側には、図７に示すように、柱２，２間に設けられる桟材や、天井梁と床梁との間に設けられる間柱等を利用して、石膏ボード等の内壁材１３が設けられる。そして、外壁材１２と内壁材１３との間の中空部内には、第六断熱材３６が充填されている。
【００４６】
以上の各断熱材３１〜３６は、最下階の建物ユニット１単体と、上階の建物ユニット１単体のそれぞれに装備されるものであるが、上下または横方向に隣接する建物ユニット１，１同士の隙間にも、図７，図１０に示すように、第七断熱材３７が充填される。
また、本実施の形態においては、第一〜第七断熱材３１〜３７として、グラスウールが採用されている。ただし、これに限られるものではなく、ロックウールを採用してもよいし、これら繊維系断熱材以外の断熱材（例えば発泡樹脂系の断熱材）を採用してもよい。
【００４７】
また、鋼製部材である柱２と内壁材１３との間の熱橋対策として、図７に示すように、隣接する建物ユニット１，１のうち隣接する柱２，２に跨るようにして、補助断熱シート２６が貼り付けられている。
当該補助断熱シート２６は、第一〜第三防湿断熱シート２１，２２，２３と同じ素材からなるものであり、少なくとも一面（本実施の形態においては柱２，２側の面）が粘着面となっている。
【００４８】
次に、以上のような構成の最下階の建物ユニット１および上階の建物ユニット１を含む複数の建物ユニット１を組み合わせてなるユニット式建物の断熱方法について説明する。
なお、上述のように建物ユニット１は、妻パネルと、天井パネルと、床パネルとに分けて製造される。
【００４９】
最下階の建物ユニット１について説明する。
まず、妻パネルを、一対の柱２および上下端部の柱梁接合部材３と、短辺天井梁５と、短辺床梁８とによって矩形枠状に組み立てる。
この時、一対の柱２および上下端部の柱梁接合部材３の屋外側面となる面に、第三防湿断熱シート２３を予め貼り付けておいてもよいが、本実施の形態においては、貼り付けないでおくものとする。
さらに、短辺床梁８の下面に沿って、第二防湿断熱シート２２を予め貼り付けておいてもよいが、本実施の形態においては、貼り付けないでおくものとする。
【００５０】
続いて、天井パネルを、一対の長辺天井梁４と、複数の野縁６とによって格子枠状（梯子状）に形成する。
そして、長辺天井梁４の区画された空間Ｓ内のそれぞれに、複数の第一断熱材３１を充填する。さらに、複数の野縁６同士の間の区間に、第二断熱材３２を、天井材１０の上面を覆うようにして敷設する。
【００５１】
続いて、床パネルを、一対の長辺床梁７と、複数の根太９とによって格子枠状（梯子状）に形成する。
そして、床パネルを、建物ユニット１の下面となる面を上に向けた状態で、長辺床梁７の下面（上に向けられた面）に沿って第一防湿断熱シート２１を貼り付ける。この時、第一防湿断熱シート２１を、図４（ａ），図９（ａ）に示すように、長辺床梁７の下面における両端部を除く部分に沿って貼り付けるようにする。第一防湿断熱シート２１の長さ方向両端部に、例えば離型紙等を設けることが好ましい。
その後、複数の根太９を含む床パネルの下面全体に、防蟻シート２４を、第一防湿断熱シート２１を覆い、かつ重なり合うように貼り付ける。この時、図４（ｂ），図９（ｂ）に示すように、防蟻シート２４を、床パネルの下面における長さ方向両端部を除く部分に貼り付けるようにする。なお、この防蟻シート２４の長さ方向両端部は、同じく貼り付けられていない状態の第一防湿断熱シート２１の長さ方向両端部に対しては貼り付けられていてもよい。
続いて、床パネルを反転させ、根太９，９同士の間の区間に、第四断熱材３４を、防蟻シート２４の上面を覆うようにして充填する。
【００５２】
続いて、妻パネルと、天井パネルと、床パネルとを組み合わせて最下階の建物ユニット１を形成する。
そして、図５に示すように、短辺床梁８の下面に沿って、第二防湿断熱シート２２を貼り付ける。
その後、長辺床梁７に貼り付けた第一防湿断熱シート２１を長辺床梁７の下面における両端部に貼り付けるとともに、防蟻シート２４を、床パネルの下面における長さ方向両端部に貼り付ける。
続いて、図５に示すように、短辺天井梁５の空間Ｓ内に第三断熱材３３を充填する。
【００５３】
続いて、図１，図８に示すように、一対の柱２および上下端部の柱梁接合部材３の屋外側面となる面に、第三防湿断熱シート２３を貼り付ける。
また、天井パネルにおいて、長辺天井梁４の区画された空間Ｓのうち、天井パネルの長さ方向両端部に位置する各空間Ｓ内のそれぞれに、第一断熱材３１を充填する。さらに、短辺天井梁５と野縁６との間の区間に、第二断熱材３２を、天井材１０の上面を覆うようにして敷設する。
さらに、床パネルにおいて、短辺床梁８と根太９との間の区間に、第四断熱材３４を、防蟻シート２４の上面を覆うようにして充填する。
【００５４】
そして、防蟻テープ２５を、防蟻シート２４の周縁部から長辺床梁７および短辺床梁８の側面に向かって直角に、かつ長辺床梁７および短辺床梁８の長さ方向に沿って貼り付ける。
以上のようにして最下階の建物ユニット１の組み立てと、各防湿断熱シート２１，２２，２３や各断熱材３１〜３４の取付作業を行う。
【００５５】
上階の建物ユニット１の場合は、格子状に形成された天井パネルの複数の野縁６同士の間の区間に、第二断熱材３２を、天井材１０の上面を覆うようにして敷設する。
さらに、格子状に形成された床パネルにおける長辺床梁７の区画された空間Ｓ内のそれぞれに、複数の第五断熱材３５を充填する。また、上述のように、上階の建物ユニット１の床パネルの下面には、防蟻シート２４が設けられないため、複数の第五断熱材３５を粘着テープ３５ａ等で固定する。
【００５６】
その後、妻パネルと、天井パネルと、床パネルとを組み合わせて上階の建物ユニット１を形成する。
続いて、一対の柱２および上下端部の柱梁接合部材３の屋外側面となる面に、第三防湿断熱シート２３を貼り付ける。
さらに、防蟻テープ２５を、長辺床梁７および短辺床梁８の下面縁部から側面に向かって直角に、かつ当該長辺床梁７および短辺床梁８の長さ方向に沿って貼り付ける。
【００５７】
そして、最下階の建物ユニット１および上階の建物ユニット１を含む複数の建物ユニット１は、天井材１０や床材１１、外壁材１２等の部材が予め取り付けられた状態で、かつ上述のような予め施すことが可能な熱橋対策がなされた状態で現場へと輸送される。
現場では、最下階の建物ユニット１および上階の建物ユニット１を含む複数の建物ユニット１を組み合わせて、ユニット式建物の躯体の施工を進めていき、図７，図１０に示すように、上下または横方向に隣接する建物ユニット１，１同士の隙間に第七断熱材３７を充填する。
さらに、隣接する建物ユニット１，１のうち隣接する柱２，２に跨るようにして、補助断熱シート２６を貼り付ける。
現場施工中、その他にも、必要と判断された部位に断熱材や補助断熱シート２６を適宜設けるようにしてもよい。
以上のようにして、最下階の建物ユニット１および上階の建物ユニット１を含む複数の建物ユニット１を組み合わせてなるユニット式建物を断熱することができる。
【００５８】
本実施の形態のユニット式建物の断熱構造によれば、複数の建物ユニット１のうち基礎上に設置される最下階の建物ユニット１の長辺床梁７および短辺床梁８の下面に沿って、帯状の第一防湿断熱シート２１および第二防湿断熱シート２２が貼り付けられているので、長辺床梁７および短辺床梁８と、基礎との間に第一防湿断熱シート２１および第二防湿断熱シート２２を介在させることができる。これによって、長辺床梁７側および短辺床梁８側から基礎に熱が伝わることを防ぐことができるので、床における断熱効果を高めることができる。しかも、第一防湿断熱シート２１および第二防湿断熱シート２２によって、基礎側から長辺床梁７側および短辺床梁８側への湿気の浸入を防ぐことができるので、湿気による長辺床梁７および短辺床梁８の劣化を防ぐことができる。
そして、床における断熱効果を高めることによって建物ユニット１自体の断熱効果を高め、延いては、建物ユニット１を組み合わせてなるユニット式建物の断熱効果の向上を図ることができる。
さらに、第一防湿断熱シート２１および防蟻シート２４を建物ユニット１の下面に予め取り付けておくことができるので、現場での施工性を向上させることができる。
また、複数の根太９を含む建物ユニット１の下面全体には、防蟻シート２４が、第一防湿断熱シート２１および第二防湿断熱シート２２を覆い、かつ重なり合って設けられているので、複数の根太９を含む最下階の建物ユニット１の下面全体に設けられた防蟻シート２４によって、第一防湿断熱シート２１および第二防湿断熱シート２２が長辺床梁７および短辺床梁８から剥がれ落ちることを防いで確実に取り付けておくことができる。しかも、防蟻シート２４によって、基礎側から最下階の建物ユニット１側へのシロアリの侵入を防ぐことができる。
【００５９】
また、帯状の防蟻テープ２５が、防蟻シート２４の周縁部から長辺床梁７および短辺床梁８の側面に向かって直角に、かつ長辺床梁７および短辺床梁８の長さ方向に沿って貼り付けられているので、長辺床梁７および短辺床梁８に貼り付けられた第一防湿断熱シート２１および第二防湿断熱シート２２に重なり合う防蟻シート２４の周縁部を、防蟻テープ２５によって、長辺床梁７および短辺床梁８の側面に留め付けることができる。これによって、防蟻シート２４の周縁部が剥がれにくくなるので、延いては、長辺床梁７および短辺床梁８に貼り付けられた第一防湿断熱シート２１および第二防湿断熱シート２２も、より剥がれ落ちにくくなる。
【００６０】
また、防蟻テープ２５に対して、柱２の第三防湿断熱シート２３が上から重なり合っていた場合には、防蟻シート２４の周縁部を長辺床梁７および短辺床梁８の側面に留め付ける防蟻テープ２５を、柱２の第三防湿断熱シート２３の下端部によって押さえることができる。これによって、防蟻テープ２５が剥がれにくくなるので、延いては、長辺床梁７および短辺床梁８に貼り付けられた第一防湿断熱シート２１および第二防湿断熱シート２２も、より剥がれ落ちにくくなる。
一方、柱２の第三防湿断熱シート２３の下端部に対して、防蟻テープ２５が上から重なり合っていた場合には、防蟻テープ２５によって、防蟻シート２４の周縁部と柱２の第三防湿断熱シート２３の双方を留め付けることができるので効率が良い。さらに、予め柱２に対して第三防湿断熱シート２３を貼り付けておくことができる。
【００６１】
また、ユニット式建物の外周に沿って設けられる梁４，５等の、ウェブＷとフランジＦとで囲まれた空間Ｓ内に第一断熱材３１、第三断熱材３３等が充填されているので、ユニット式建物の外周に沿って設けられる梁から屋外側への熱の伝わりを抑えることができる。これによって、床における断熱効果を高めることは勿論のこと、建物ユニット１全体、延いてはユニット式建物の断熱効果を高めることが可能となる。
【００６２】
また、隣接する複数の建物ユニット１，１の、隣接する柱２，２間と、隣接する各梁７，７間に断熱材３７が充填されているので、柱２，２間および梁７，７間の僅かな隙間から屋外や基礎側への熱の伝わりを抑えることができる。これによって、床における断熱効果を高めることは勿論のこと、建物ユニット１全体、延いてはユニット式建物の断熱効果をより高めることが可能となる。
【００６３】
本実施の形態のユニット式建物の断熱方法によれば、複数の建物ユニット１のうち基礎上に設置される建物ユニット１の長辺床梁７および短辺床梁８の下面に沿って、帯状の第一防湿断熱シート２１および第二防湿断熱シート２２を貼り付けるので、長辺床梁７および短辺床梁８と、基礎との間に第一防湿断熱シート２１および第二防湿断熱シート２２を介在させることができる。これによって、長辺床梁７側および短辺床梁８側から基礎に熱が伝わることを防ぐことができるので、床における断熱効果を高めることができる。しかも、第一防湿断熱シート２１および第二防湿断熱シート２２によって、基礎側から長辺床梁７側および短辺床梁８側への湿気の浸入を防ぐことができるので、湿気による長辺床梁７および短辺床梁８の劣化を防ぐことができる。
そして、床における断熱効果を高めることによって建物ユニット１自体の断熱効果を高め、延いては、建物ユニット１を組み合わせてなるユニット式建物の断熱効果の向上を図ることができる。
さらに、第一防湿断熱シート２１および防蟻シート２４を建物ユニット１の下面に予め取り付けておくことができるので、現場での施工性を向上させることができる。
また、複数の根太９を含む建物ユニット１の下面全体に、防蟻シート２４を、第一防湿断熱シート２１および第二防湿断熱シート２２を覆い、かつ重なり合うように設けるので、複数の根太９を含む建物ユニット１の下面全体に設けられた防蟻シート２４によって、第一防湿断熱シート２１および第二防湿断熱シート２２が長辺床梁７および短辺床梁８から剥がれ落ちることを防いで確実に取り付けておくことができる。しかも、防蟻シート２４によって、基礎側から建物ユニット１側へのシロアリの侵入を防ぐことができる。
【００６４】
また、複数の妻パネルと床パネルとを連結し、複数の妻パネルの短辺床梁８の下面に沿って第二防湿断熱シート２２を貼り付けた後、長辺床梁７に貼り付けた第一防湿断熱シート２１を長辺床梁７の下面における両端部に貼り付けるとともに、防蟻シート２４を、床パネルの下面における長さ方向両端部に設けるので、建物ユニット１を組み立てながら、第一防湿断熱シート２１および第二防湿断熱シート２２の貼り付け作業や防蟻シート２４の貼り付け作業を行うことができ、効率が良い。
【００６５】
また、防蟻シート２４を、床パネルの下面における長さ方向両端部に設けた後に、帯状の防蟻テープ２５を、防蟻シート２４の周縁部から長辺床梁７および短辺床梁８の側面に向かって直角に、かつ長辺床梁７および短辺床梁８の長さ方向に沿って貼り付けるので、長辺床梁７および短辺床梁８に貼り付けられた第一防湿断熱シート２１および第二防湿断熱シート２２に重なり合う防蟻シート２４の周縁部を、防蟻テープ２５によって、長辺床梁７および短辺床梁８の側面に留め付けることができる。これによって、防蟻シート２４の周縁部を剥がれにくくすることができるので、延いては、長辺床梁７および短辺床梁８に貼り付けられた第一防湿断熱シート２１および第二防湿断熱シート２２も、より剥がれ落ちにくくすることができる。
【符号の説明】
【００６６】
１  建物ユニット
２  柱
３  柱梁接合部材
４  長辺天井梁
５  短辺天井梁
６  野縁
７  長辺床梁
８  短辺床梁
９  根太
１０  天井材
１１  床材
１２  外壁材
１３  内壁材
２１  第一防湿断熱シート
２２  第二防湿断熱シート
２３  第三防湿断熱シート
２４  防蟻シート
２５  防蟻テープ
２６  補助断熱シート
３１  第一断熱材
３２  第二断熱材
３３  第三断熱材
３４  第四断熱材
３５  第五断熱材
３６  第六断熱材
３７  第七断熱材
Ｗ  ウェブ
Ｆ  フランジ
Ｓ  空間
【図１】
0006417136.tif 000002
【図２】
0006417136.tif 000003
【図３】
0006417136.tif 000004
【図４】
0006417136.tif 000005
【図５】
0006417136.tif 000006
【図６】
0006417136.tif 000007
【図７】
0006417136.tif 000008
【図８】
0006417136.tif 000009
【図９】
0006417136.tif 000010
【図１０】
0006417136.tif 000011
【図１１】
0006417136.tif 000012